(57)【要約】【課題】風などの外力によりずれ動いたり飛ばされたりすることを防止した立て看板を提供する。【解決手段】後部枠体１aおよび前部枠体１ｂを備えた脚部枠体１と、後部枠体１aの下部に設けられた後部下部フレーム５と前部枠体１ｂの下部に設けられた前部下部フレーム６との間に架け渡されたアタッチメント７とを備え、アタッチメント７に重り８を載置する。アタッチメント７は、２分割されて伸縮自在に組み合わされ、伸ばした状態で後部下部フレーム５および前部下部フレームに押し付ける。【選択図】図１
2012093566.tif 000002
【特許請求の範囲】
【請求項１】
地面に立つ後部枠体および前部枠体を備えた脚部枠体と、
前記後部枠体の下部に設けられた後部下部フレームと前記前部枠体の下部に設けられた前部下部フレームとの間に取り付けられ、重りを載置可能なアタッチメントと、を備えたことを特徴とする立て看板。
【請求項２】
前記アタッチメントは、２分割されて伸縮自在に組み合わされたものであり、伸ばした状態でその両端部を前記後部下部フレームおよび前記前部下部フレームに押し付けて固定することを特徴とする請求項１記載の立て看板。
【請求項３】
前記アタッチメントは、前記後部下部フレームおよび前部下部フレームに押し付けて重りを載せた状態で地面に接触していることを特徴とする請求項１又は２記載の立て看板。
【請求項４】
前記重りは、袋又は容器に砂、砂利、土あるいは水のいずれか又はこれらの混合物を入れたものであることを特徴とする請求項１ないし３のいずれかに記載の立て看板。
【発明の詳細な説明】
【技術分野】
【０００１】
本発明は、水道、ガス、電気工事などの各種工事現場あるいは事故現場などで使用される立て看板に関するものである。
【背景技術】
【０００２】
従来、各種工事現場や事故現場などで保安などの目的で使用される立て看板として、脚立状の枠体に標示板を取り付けた構造のものが知られている（例えば特許文献１を参照）。
【先行技術文献】
【特許文献】
【０００３】
【特許文献１】特開平６−２６６２９１号公報
【発明の概要】
【発明が解決しようとする課題】
【０００４】
特許文献１に記載されているような立て看板は、単に地面に立ててあるだけで固定されていないので、風などの外力により動きやすく、強風で飛ばされて器物損壊や人身事故を招くという危険性があった。
【０００５】
本発明は、上記課題を解決するもので、風などの外力により動いたり飛ばされたりすることを防止した立て看板を提供することを目的とする。
【課題を解決するための手段】
【０００６】
上記目的を達成するため、請求項１記載の立て看板は、地面に立つ後部枠体および前部枠体を備えた脚部枠体と、前記後部枠体の下部に設けられた後部下部フレームと前記前部枠体の下部に設けられた前部下部フレームとの間に取り付けられ、重りを載置可能なアタッチメントと、を備えたことを特徴とする。
【０００７】
請求項２記載の立て看板は、請求項１記載の立て看板であって、前記アタッチメントは、２分割されて伸縮自在に組み合わされたものであり、伸ばした状態でその両端部を前記後部下部フレームおよび前記前部下部フレームに押し付けて固定することを特徴とする。
【０００８】
請求項３記載の立て看板は、請求項１又は２記載の立て看板であって、前記アタッチメントは、前記後部下部フレームおよび前部下部フレームに押し付けて重りを載せた状態で地面に接触していることを特徴とする。
【０００９】
請求項４記載の立て看板は、請求項１ないし３のいずれかに記載の立て看板であって、前記重りは、袋又は容器に砂、砂利、土あるいは液体のいずれか又はこれらの混合物を入れたものであることを特徴とする。
【発明の効果】
【００１０】
本発明によれば、脚部枠体の下部にアタッチメントを取り付けて重りを載せることにより、風などの外力により立て看板がずれ動いたり飛ばされたりすることを防止することができ、簡単な構造で安全性の高い立て看板が得られる。
【図面の簡単な説明】
【００１１】
【図１】本発明の立て看板の一実施形態を示す斜視図である。
【図２】本発明の立て看板の一実施形態を示す側面図である。
【図３】図１のＡ−Ａ線断面図である。
【図４】アタッチメントの分解斜視図である。
【図５】アタッチメントの組み立て状態の斜視図である。
【発明を実施するための形態】
【００１２】
以下、本発明の実施形態を図面と共に説明する。
図１は、本発明の立て看板の実施形態を示す斜視図、図２は、側面図、図３は、図１のＡ−Ａ線断面図である。
【００１３】
図１、図２に示すように、本発明の立て看板は、金属製の脚部枠体１と、この脚部枠体１に取り付けられた標示板２とを備えている。脚部枠体１は、後部枠体１aと、この後部枠体１aの前部に軸部３を介して回転自在に取り付けられた前部枠体１ｂとを備えている。前部枠体１ｂは所定の角度位置まで開いてストッパ（図示せず）により停止し、脚部枠体１は所定の角度で地面１１に立てられるようになっている。後部枠体１aの中間には、横方向を向く中間フレーム４が、下部には横方向を向く後部下部フレーム５が設けられ、前部枠体１ｂの下部には横方向を向く前部下部フレーム６が設けられている。
【００１４】
後部下部フレーム５と前部下部フレーム６との間に金属板からなるアタッチメント７が装着されている。このアタッチメント７上には、重り８が載せられるようになっている。
【００１５】
図４、図５は、アタッチメント７の斜視図であって、図４は分解状態、図５は組み立て状態を示している。アタッチメント７は、２分割された左右の分割片７a、７ｂを備え、両分割片７a、７ｂの外端部に立上り部８が形成され、立上り部８の上端に引掛部８aが形成されている。一方の分割片７aの内端の両側部に一対のロッド９が取り付けられ、他方の分割片７ｂの内端の両側部にはロッド９をガイドするガイド部１０が形成されている。図５に示すように、ロッド９をガイド部１０に挿入することにより、分割片７a、７ｂが伸縮自在に連結されたアタッチメント７を構成する。ロッド９をガイド部１０に沿ってスライドさせ、所定位置で止めねじ１３によりロッド９を動かないように締め付けることにより、立上り部８、８間の寸法を自由に調整できるようになっている。
【００１６】
図１、図２に示すように、アタッチメント７を後部下部フレーム５と前部下部フレーム６の間に位置させて、引掛部８aを後部下部フレーム５および前部下部フレーム６の上部に載せ、ロッド９およびガイド部１０を介してアタッチメント７を広げ、立上り部８、８を後部下部フレーム５と前部下部フレーム６に押し付けて突っ張った状態で止めねじ１３によりロッド９を固定する。このようにして、アタッチメント７を後部下部フレーム５と前部下部フレーム６の間に取り付ける。
【００１７】
このとき、アタッチメント７の底部は前部枠体１aおよび後部枠体１ｂの立っている地面１１に接触していることが好ましい。このアタッチメント７上に重り１２を載せる。重り１２としては、丈夫な袋に、砂、砂利、土などを入れた重り袋（例えば土嚢）が好適に使用されるが、これに限定するものではなく、例えば、容器に砂、砂利、土あるいは水などの液体を収納したもの、あるいは、重い金属部材（容器に収納しなくてもよい）などでもよく、重り１２の種類は限定されない。このように、アタッチメント７に重り８を載せることにより、立て看板は風などの外力を受けても動いたり飛んだりすることが防止される。
【００１８】
図３に示すように、重り１２として重り袋を使用した場合は、重り８はアタッチメント７の両側にはみ出し、地面１１に接触する。また、アタッチメント７もその底部が地面１１に接触する構造にすることにより、アタッチメント７と地面１１の摩擦抵抗が働き、立て看板のずれ動きも防止することができる。また、アタッチメント７と地面１１が接触することにより、重り１２の全荷重が脚部枠体１にかかることが防止され、重量の大きい重り１２を使用する場合でも脚部枠体１自体の強度を強化する必要はなく、従来のものと同一構造とすることが可能であり、脚部枠体１の構造を変更する必要がないので、安価に製作することができる。
【００１９】
なお、アタッチメント７は、重り１２を載せない状態では地面１１からわずかに離れた状態で後部下部フレーム５および前部下部フレーム６に引っ掛けられており、重り１２を載せたとき撓みにより地面に接触するような構造でもよい。この構造では、重り１２の荷重がある程度脚部枠体１にもかかるので、立て看板をより動きにくくすることができる。
【符号の説明】
【００２０】
１    脚部枠体
１a    後部枠体
１ｂ    前部枠体
２  標示板
５  後部下部フレーム
６  前部下部フレーム
７  アタッチメント
７a、７ｂ  分割片
８  立上り部
１２  重り
【図１】
2012093566.tif 000003
【図２】
2012093566.tif 000004
【図３】
2012093566.tif 000005
【図４】
2012093566.tif 000006
【図５】
2012093566.tif 000007